(57)【要約】【課題】  スタッド付きシューズにおいて、生体機械的要件、またはプレーヤーの審美的嗜好を考慮に入れてかなりの程度まで個別に構成する。【解決手段】  上側部材（２）および下側部材（３）を有するソックス状アッパー（１）と、アッパー（１）の内部に取外可能に配置されたシャーシ（１０）と、それぞれが、ソックス状アッパー（１）の下側部材（３）を通ってシャーシ（１０）に取外可能に取り付けられた複数のスタッド（３０）とを有してなる。ソックス状アッパー（１）の下側部材（３）は、シャーシ（１０）と取り付けられた複数のスタッド（３０）の内の少なくとも一つとの間に締め付けられていることが好ましい。【選択図】      図１
2005253978.tif 000002
【特許請求の範囲】
【請求項１】
スタッド付きシューズであって、
ａ．  上側部材（２）および下側部材（３）を有するソックス状アッパー（１）、
ｂ．  前記アッパー（１）の内部に取外可能に配置されたシャーシ（１０）、および
ｃ．  それぞれが、前記ソックス状アッパー（１）の前記下側部材（３）を通って前記シャーシ（１０）に取外可能に取り付けられた複数のスタッド（３０）、
を有してなるスタッド付きシューズ。
【請求項２】
前記ソックス状アッパー（１）の前記下側部材（３）が、前記シャーシ（１０）と取り付けられた前記複数のスタッド（３０）の内の少なくとも一つとの間に締め付けられていることを特徴とする請求項１記載のスタッド付きシューズ。
【請求項３】
前記ソックス状アッパー（１）が、踵部分および／またはつま先部分に強化部材（５）を備えていることを特徴とする請求項１または２記載のスタッド付きシューズ。
【請求項４】
前記ソックス状アッパー（１）の前記下側部材（３）が、泥や土の付着を避けるためのコーティング（６）を有することを特徴とする請求項１から３いずれか１項記載のスタッド付きシューズ。
【請求項５】
前記下側部材（３）を通って前記ソックス状アッパー（１）の内部に泥や土が侵入するのを防ぐためのシーリング（３２）をさらに備えていることを特徴とする請求項１から４いずれか１項記載のスタッド付きシューズ。
【請求項６】
前記シーリング（３２）が前記複数のスタッド（３０）の各々の上側の縁に配置されてといることを特徴とする請求項５記載のスタッド付きシューズ。
【請求項７】
前記スタッド（３０）の第一の取付手段（３８）が、該スタッド（３０）が回転に対して固定されるような様式で前記シャーシ（１０）に取り付けられるように形状が対応し、かつ前記シャーシの第二の取付手段と係合するように設計されていることを特徴とする請求項１から６いずれか１項記載のスタッド付きシューズ。
【請求項８】
前記スタッド（３０）が、前記第二の取付手段の対応する突起（１１）により係合される矩形の凹部（３８）を有することを特徴とする請求項７記載のスタッド付きシューズ。
【請求項９】
前記第一の取付手段が前記第二の取付手段のネジ山（１２）に係合するネジ（３１）から構成されることを特徴とする請求項７または８記載のスタッド付きシューズ。
【請求項１０】
前記ネジ（３１）が、前記シューズのグリップ性の改善に寄与するように前記スタッド（３０）内に配置されていることを特徴とする請求項９記載のスタッド付きシューズ。
【請求項１１】
前記スタッド（３０）の少なくとも一つが矩形形状を有することを特徴とする請求項１から１０いずれか１項記載のスタッド付きシューズ。
【請求項１２】
いくつかの矩形のスタッド（３０）が、回転に対して固定され、種々の向きを有するように前記シャーシ（１０）に配置されていることを特徴とする請求項１１記載のスタッド付きシューズ。
【請求項１３】
請求項１から１２いずれか１項記載のスタッド付きシューズのためのスタッドであって、
ａ．  グラウンドに突き刺さるスタッド本体（３３）、
ｂ．  シューズのアッパー（１）の内部に取外可能に配置されたシャーシ（１０）の第二の取付手段（１１，１２）と相互作用するように適合された第一の取付手段（３１，３８）、および
ｃ．  前記下側部材（３）で前記アッパー（１）の内部を外部に対して封止するシーリング（３２）、
を有してなるスタッド。
【請求項１４】
前記第一の取付手段（３１，３８）が、前記シャーシの第二の取付手段に形状が対応し、係合するように設計されており、したがって、スタッド（３０）が、回転に対して固定された様式で前記シャーシ（１０）に取付可能であることを特徴とする請求項１３記載のスタッド。
【請求項１５】
前記スタッド本体（３３）が、前記第二の取付手段の対応する突起（１１）により係合できる矩形の凹部（３８）を有することを特徴とする請求項１４記載のスタッド。
【請求項１６】
前記第一の取付手段が、グラウンドに突き刺さるネジ（３１）から構成されることを特徴とする請求項１５記載のスタッド。
【請求項１７】
前記ネジ（３１）が前記スタッド本体（３３）を下方に超えていることを特徴とする請求項１６記載のスタッド。
【請求項１８】
請求項１から１２いずれか１項記載のスタッド付きシューズを提供するためにアッパー（１）および複数のスタッド（３０）に取外可能に相互連結されるシャーシ（１０）であって、
水平面で矩形であり、前記アッパー（１）の前記下側部材（３）にある開口部（４）を通って延在するように適合された複数の突起（１１）、
を有してなるシャーシ。
【請求項１９】
前記複数の突起（１１）の各々が、前記複数のスタッド（３０）内の対応する凹部（３８）と形状が対応し、係合するように設計されていることを特徴とする請求項１８記載のシャーシ。
【請求項２０】
前記複数の突起（１１）が様々な向きを有することを特徴とする請求項１９記載のシャーシ。
【請求項２１】
前記突起（１１）が、テーパー状であり、中央にネジ山を有することを特徴とする請求項２０記載のシャーシ。
【請求項２２】
請求項１から１２いずれか１項記載のスタッド付きシューズを提供するためにシャーシ（１０）および複数のスタッド（３０）に取外可能に相互連結されるソックス状アッパー（１）であって、
ａ．  上側部材（２）および少なくとも部分的に足の下に延在する下側部材（３）、および
ｂ．  請求項１８から２１いずれか１項記載のシャーシ（１０）の複数の突起（１１）のための複数の水平面で矩形の開口部（４）、
を有してなるソックス状アッパー。
【請求項２３】
前記アッパー（１）が、踵部分および／またはつま先部分に追加の強化部材（５）を備えていることを特徴とする請求項２２記載のソックス状アッパー（１）。
【請求項２４】
前記下側部材（３）が、前記アッパーの下面に泥や土が付着するのを減少させるためのコーティング（６）を備えていることを特徴とする請求項１記載のソックス状アッパー（１）。
【発明の詳細な説明】
【技術分野】
【０００１】
本発明は、モジュール式スタッド付きシューズおよびその構成部材に関する。
【背景技術】
【０００２】
サッカーシューズなどのスタッド付きシューズは、他のスポーツシューズと同様に、今日では産業上の大量生産品である。サッカーの創世記には、サッカーシューズは職人により個別に製造されていた。靴屋は、プレーヤーの特定の解剖学的構造だけでなく、例えば、シューズの材料や外側のデザインの選択に関する好みも考慮していた。しかしながら、一連の所定のサイズで提供されていることは別にして、大量生産されたサッカーシューズは、色、形状、ソールの硬度など同じ特性を有するのが一般的である。プレーヤーの解剖学的構造の要件や審美的嗜好への個別の適用は、たとえあるにしても、限られた程度でしか可能ではない。
【０００３】
当該技術分野において、スタッド付きシューズのグリップ性を、変化するグラウンド・コンディションに適応できる交換可能なスタッドを提供する手法がいくつか知られている。当該技術分野で公知の多数の構造の例として、スタッドが、シューソールのネジ穴に取外可能にねじ込まれるネジ状突起を有してなる、よく知られたネジ式スタッドを言及する。
【０００４】
スタッドの交換は別にして、サッカーシューズなどのスタッド付きシューズに関して個別に適応させる可能性はない。これに対して、当該技術分野では、使用中に高機械的負荷にさらされるスタッド付きシューズは、永久的に相互連結された構成部材（ソール、アッパー等）のコンパクトで安定した構成物として提供すべきであると堅く信じられている。スタッドだけが上述した様式で交換できるか、または追加の嵌込み式ソールを用いてもよい。形状、硬度、ソールの重量などの特性、並びに使用する靴ひもシステム、通気性、または（サッカーシューズの場合には）シュートの精度を改善するためのアッパーに設けられる構造要素などのアッパーの特性は、今日まで適応可能ではない。このことにより、スタッド付きシューズは、他のタイプのシューズ、例えば、一種のツールボックス・システムが特許文献１から知られている女性用のドレスシューズからは区別される。
【特許文献１】独国実用新案第２０２０８７１３Ｕ１号明細書
【発明の開示】
【発明が解決しようとする課題】
【０００５】
しかしながら、生体機械的要件のため、またプレーヤーの審美的嗜好を考慮に入れるために、スタッド付きシューズをかなりの程度まで個別に構成する可能性が大いに必要とされていることが分かった。したがって、本発明は、プレーヤーの要件と好みに適応できる当該技術分野で公知の構造物よりも好ましいスタッド付きシューズを提供するという課題に基づくものである。
【課題を解決するための手段】
【０００６】
この課題は、上側部材と下側部材を有するソックス状アッパー、アッパーの内部に取外可能に配置されたシャーシおよび複数のスタッドを有してなるスタッド付きシューズであって、各スタッドがソックス状アッパーの下側部材を通ってシャーシに取外可能に取り付けられているスタッド付きシューズにより解決される。
【０００７】
したがって、本発明によるスタッド付きシューズは、三つの必須構成部材を有してなる。
【０００８】
ソックス状の形状であることが好ましく、全ての側から足を取り囲むことが好ましいアッパーが、第一のモジュールを形成する。しかしながら、公知のスタッド付きシューズとは対照的に、アッパーはアウトソールや同様のソール層に永久的には接着も、溶着も、縫いつけられてもいない。その代わりに、取外可能なシャーシが第二のモジュールとしてアッパー内に配置され、ここで、シャーシは、アッパーの下側部材に、取り付けられずにゆるく接触していることが好ましい。安定したスタッド付きシューズは、アッパーの下側部材を通してシャーシに取り付けられる複数のスタッドへの相互連結によってのみ形成される。ソックス状アッパーの下側部材は、シャーシと、取り付けられた複数のスタッドの内の少なくとも一つとの間に締め付けられることが好ましい。
【０００９】
スタッド付きシューズの上述したモジュール式構造により、製造業者とアスリートの両者にとっての利点が数多く得られる。これらの取外可能に組み合わされた三つのモジュールであるアッパー、シャーシおよびスタッドの様々な実施の形態の無制限の組合せにより、スタッド付きシューズのデザイン性と技術的特性を幅広く改良することができる。例えば、ソックス状アッパーを交換することにより、異なる色とパターンの使用ができ、また季節に応じて厚いか薄いアッパーを使用できる。アッパーに独特のパターン、または個々のアスリートの文字、例えば、サインを刻印することにより、完全に個別の構成さえ考えられる。また、アッパーに異なる材料を使用することが可能であり、異なる材料により、ボールのインステップとの接触中に異なる特性を得ることになる。
【００１０】
取外可能なシャーシがスタッド付きシューズの機械的性質を実質的に決定する。例えば、グラウンド・コンディションに応じて、異なる硬度のシャーシを使用することが考えられる。さらに、シャーシの厚さは、シューズの内側の足のポジショニングに影響を与え得る。本発明の別の実施の形態において、シャーシの上側部材の形状は、例えば、三次元走査により測定される着用者の足にしたがって、カスタムメードできる。また、シャーシの材料の性質は、着用者の個別のニーズを考慮して個別に構成してもよい。
【００１１】
最後に、スタッド、すなわち、その形状と配置により、スタッド付きシューズのグリップ性が決まる。従来技術とは対照的に、スタッドの取付けにより、スタッド付きシューズの三つのモジュール、すなわち、アッパー、シャーシおよびスタッドの間に、しっかりしているが取外可能な相互連結が追加に提供される。上述したモジュール式設計を有するスタッド付きシューズは、従来技術における上述した不利益とは対照的に、実際に、ランニング中やボールを蹴っている最中に生じる負荷に永久的に耐える必須の安定性を有することが分かった。
【００１２】
製造業者の観点から、上述したモジュール式設計により、スタッド付きシューズの製造が容易になる。完成したシューズの代わりに、後に顧客が選択し、組み立てるたった三つのモジュールが製造される。シューズの構成部材の接着も、溶着も、縫製も、もはや必要なく、これにより、製造工程数が減少する。さらに、環境に関して常に問題である、シューズの製造に伴う毒性の溶剤蒸気がなくなる。
【００１３】
ソックス状アッパーは、踵部分および／またはつま先部分に強化部材を備えていることが好ましい。このことにより、多大な磨耗に曝されるこれらの部分において、アッパーが早期に磨耗することが回避される。このソックス状アッパーの下側部材は、泥や土の付着を減らすコーティングを備えていることが好ましい。そのようなコーティングは、今日では、多くの技術分野からよく知られている。
【００１４】
特に好ましい実施の形態において、泥や土がソックス状アッパーの内部にその下側部材を通って侵入するのを防ぐシーリングが追加に配置される。このシーリングは複数のスタッドの各々の最頂部の縁に配置されることが好ましい。
【００１５】
それゆえ、一つ以上のスタッドがそこを通ってシャーシに取外可能に取り付けられるアッパーの下側部材にある開口部が、グラウンドの湿気または泥や土の粒子に対して効果的封止される。一般に、取付機構がアッパーの外側に配置されている公知のスタッドシステムは、そのようなシーリングは含んでいない。
【００１６】
さらに別の態様によれば、本発明は、グラウンドに突き刺さるスタッド本体、アッパーの内部に取外可能に配置されたシャーシの第２の取付手段と相互作用するために設けられた第１の取付手段、およびアッパーの内部を下側部材で封止するシーリングを有してなる上述したスタッド付きシューズのスタッドに関する。シーリングのために、そのようなスタッドは、上述したモジュール式のスタッド付きシューズと共に用いられるように特別に適合される。このために、湿気および泥や土はアッパーの内部には到達できない。
【００１７】
スタッドの第一の取付手段は、シャーシの第二の取付手段と係合できるような形状に対応するように設計されていることが好ましい。その結果、スタッドは、回転に対して固定された様式でシャーシに取り付けることができる。この目的のために、スタッド本体は、矩形の凹部を有することが好ましく、この凹部には、第２の取付手段の対応する突起が係合できる。
【００１８】
さらに別の態様によれば、本発明は、上述したモジュール式のスタッド付きシューズを提供するためにアッパーおよび複数のスタッドと取外可能に相互連結するためのシャーシであって、水平面で矩形であり、アッパーの下側部材にある開口部を通って延在するように適合された複数の突起を有してなるシャーシに関する。複数の突起は、各々がそれぞれのスタッドにおける対応する凹部と係合できるように、形状がスタッドに対応するように設計されていることが好ましい。最後に、本発明は、上述したモジュール式のスタッド付きシューズを提供するためにシャーシおよび複数のスタッドと取外可能に相互連結するためのソックス状アッパーであって、上側部材と少なくとも部分的に足の下に延在する下側部材、および上述したシャーシの複数の突起のために水平面で矩形である複数の開口部を有してなるアッパーに関する。
【００１９】
本発明によるモジュール式のスタッド付きシューズ、スタッド、シャーシおよびアッパーのさらに有利な改善が、従属する請求項の主題である。
【発明を実施するための最良の形態】
【００２０】
以下、図面を参照して、本発明をより詳しく説明する。
【００２１】
図１は、本発明の現在好ましい実施の形態におけるスタッド付きシューズのモジュール設計の全体図を示している。この実施の形態はサッカーシューズに関し、これについては、以下により詳しく説明する。しかしながら、本発明は、スパイク付きの陸上競技用シューズおよびゴルフ、ラグビー、ホッケー、アメリカンフットボール、野球等の芝生で行うスポーツに用いられるシューズなどの他のタイプのスタッド付きシューズも包含することを理解すべきである。
【００２２】
最初にシャーシ１０が軟質アッパー１の内部に配置される。さらに別のソール層、例えば、図１のインソール２０をシャーシ１０の頂部に配置してもよい。インソール２０は緩衝作用のためにＥＶＡなどの発泡材料から製造されることが好ましい。さらに、シャーシ１０の下のアッパー１内に追加のソール層を配置することも考えられる。全てのソール層は、互いに連結されておらず、アッパーの内部に互いに重なってゆるく配置されることが好ましい。しかしながら、例えば、一つ以上の面ファスナー（ベルクロ（登録商標）やマジックテープ（登録商標）の商標で販売されているもののような）を用いて、ソール層の互いに関する仮の固定も可能である。あるいは、シャーシ１０および追加のソックス・ライナー（図示せず）などの二つ以上の要素を一つの要素に組み合わせることも可能である。
【００２３】
アッパー１は、上側部材２と下側部材３を有してなることにより上述した内部を提供する。この内部は、ソックスのように、足を少なくとも部分的に取り囲む。下側部材３にはいくつかの開口部４が設けられている。これらの開口部の配置は、下側部材３に別々に配置される複数のスタッド３０の分布に対応する。図１に点線で示したように、各スタッド３０は、アッパー１の下側部材にある開口部４の内の一つを通って延在するネジ３１により、取外可能であるがしっかりとシャーシ１０に相互連結される。ネジ３１を使用する以外に、他の取付手段、例えば、本願の出願人による独国特許出願公開第１０１１８９８６Ａ１号明細書に記載されたクリップ連結や、本願の出願人による独国特許発明第１０２４１１５３号明細書による磁気取付具も考えられる。
【００２４】
複数のスタッド３０のシャーシ１０への取付けにより、モジュール式のサッカーシューズが必要な安定性を得る。シャーシ１０およびスタッド３０の間の全てのさらに別のソール層（図示せず）は、アッパーの下側部材と共に保持される。これは、図１の実施の形態においては、スタッド３０とシャーシ１０との間に直接締め付けられている。その結果、一方では、モジュール式であり、他方では、複数の永久的に相互連結された構成部材から製造された公知のサッカーシューズと同じ安定性を有するサッカーシューズが得られる。
【００２５】
アッパー１以外に、シューズのさらに別の要素（図示せず）、例えば、外部トルション・バー、外部ヒール・カウンターおよび／または磨耗に対して保護するアッパーの下の交換可能なソール・プレートをスタッド３０とシャーシ１０との間の適所に配置してもよい。ここで、これらの随意的なシューズ要素は、取外可能であり、したがって、スタッド３０およびシャーシ１０と同様にカスタマイズ可能である。
【００２６】
以下、図１に示したモジュール式のサッカーシューズの個々の構成部材についてさらに説明する。
【００２７】
シャーシ１０は、シューズに必要な安定性を与える。はっきり言うと、このモジュールは、シューズ全体の要を形成する。この目的のために、シャーシは、ＴＰＵ（熱可塑性ポリウレタン）などの安定なプラスチック材料または炭素繊維から製造されることが好ましい。薄い金属板または複合材料を使用することも考えられる。シャーシはサッカーシューズ全体の交換可能なモジュールであるので、プレーヤーは、必要性および／または外部条件により異なるシャーシを使用することにより、機械的性質を適合させることができる。例えば、これらの要件を満たすために、異なる硬度または異なる重量を持ついくつかのシャーシを製造することが考えられる。さらに、例えば、幅広い足や幅の狭い足に適合するため、または複数のシャーシに異なる曲げ区域を提供するために、シャーシの形状（シューズのサイズが同じ場合）を変えることも可能である。
【００２８】
図２に拡大して示されたシャーシ１０は、下側部材に、実質的に水平面から延在する矩形突起として設けられた複数の取付手段１１を有してなる。突起１１は、アッパー１の下側部材３に設けられた開口部を通って延在し、スタッド３０をしっかりと固定するように働く。これらの突起の形状は、開口部４の形状に実質的に対応する。その結果、シャーシは、モジュール式のサッカーシューズの組立て中において、スタッドの取付け前でさえ、正しい位置に仮に維持される。図面の好ましい実施の形態において、突起１１および開口部４は両方とも、水平面で矩形であり、テーパー部を有してなり、ここで、突起１１が開口部４を容易に貫通できるように十分な遊びがある。
【００２９】
スタッド３０は突起１１に取り付けられる。好ましい実施の形態において、各スタッド３０は凹部を有してなり、この凹部は、シャーシ１０のそれぞれの突起１１と係合できる形状に対応するように設計されている。これにより、スタッドがシャーシにしっかりと固定され、回転に対して保証されている。回転対称ではないが、矩形または非対照であり、したがって、正確な方向付けが必要とされるスタッドを使用する場合、このことは特に重要である。このことが図２に示されている。ここでは、矩形の突起１１が、シャーシ１０の位置に応じて異なる向きを有しているのが分かる。
【００３０】
さらに、スタッド３０が一つだけ対応する突起１１に嵌るように突起を個別に設計することも考えられる。スタッド３０が、シャーシの異なる位置で異なる向きにあるだけでなく、個別の形状を有する場合、このことは好ましい。この場合のために、数字や色の記号化を使用すると、モジュール式のサッカーシューズの組立中に配置が容易になる。図３は、突起１１の別の実施の形態を示している。この実施の形態は、異なる長さの肩部のために、対応するスタッドの向きを明白に規定している。上述した二つの好ましい実施の形態において、スタッド３０のネジ３１により係合できる金属ネジ山１２が各突起１１の中央に配置されていることが好ましい。各ネジ３１は、スタッド内の凹部を通って延在することが好ましい。この凸部には、ネジ山があってもなくても差し支えない。
【００３１】
最後に、シャーシ１０が突起を備えず、その代わりに、各スタッド３０が、アッパーの下側部材にある開口部４を通って延在し、シャーシ１０の凹部に係合する上方突起（図示せず）を有するものであるさらに別の実施の形態も考えられる。この凹部は、スタッド３０の突起と係合できる形状に対応するように設計されている。また、この実施の形態において、スタッドとシャーシとの間にシューズのアッパーの下側部材を締め付けることにより、シューズの十分な安定性が確保される。さらに別の改良において、シャーシ１０もスタッド３０も突起を備えていない。ネジ３１または別の取付手段のみが開口部４を貫通し、スタッドをシャーシにしっかりと固定する。そのような単純化された実施の形態は、例えば、図５ｂに示すように回転対称のネジ式スタッドにとって好ましい。この場合、対照形状のために、特定の向きにスタッドを取り付ける必要がない。
【００３２】
図４は、アッパー１の好ましい実施の形態を示している。このモジュールは、シューズの共通のアッパーのように設けても差し支えない。（人工）皮革、布、網状材料などの公知の材料を用いてもよい。図４は連続したアッパーを示しているが、アッパーの上側部材は、例えば、通気のために、複数の開口部を備えていてもよい。靴ひも７または他の手段を用いて、アッパーを足にくくりつけることができる。
【００３３】
しかしながら、公知のアッパーは足を上からと両側部でしか取り囲まないが、本発明によるアッパー１は、追加に、少なくとも部分的に足を下から取り囲む下側部材３を備えている。その結果、アッパーはソックス状の形状を有する。スタッドを取り付けるための既に述べた開口部４以下に、下側部材３は、例えば、シューズ内部の通気性を改善するために、さらに別の開口部（図示せず）を有していてもよい。
【００３４】
図４は、シューズのアッパーの前方部分と踵部分に配置された追加の強化要素５を示している。それによって、多大な磨耗にさらされるアッパーのこれらの領域が早期に磨耗することが回避される。強化要素は、アッパーに接着または射出成形されたＴＰＵなどのプラスチック材料により、またはアッパーに縫い付けられるさらに別の材料層により、もしくはそれに連結される任意の別の手段により提供してもよい。
【００３５】
さらに、アッパーの下側部材３は、泥や土の付着を防ぐように働くコーティング６を備えることが好ましい。このコーティングは、例えば、テフロン（登録商標）の商標で販売されるものなどのＰＴＦＥベースの材料から製造されていてよい。図４において、このコーティング６は、下側部材３上に大まかな斜線により図示されている。さらに、下側部材の端部だけでなく、他の領域も、特別な耐磨耗性コーティングにより早すぎる磨耗に対して保護することも考えられる。
【００３６】
図５ａおよび５ｂは、スタッド３０の好ましい実施の形態を示しており、図５ａは矩形のスタッド３０を、図５ｂは既にシャーシに取り付けられた回転対称のスタッド３０を示している。両方のスタッドは、取付状態で、アッパーの下側部材３に接触するシーリング３２を備えていることが好ましい。スタッド３０のシャーシに対する、それによって、アッパーの締め付けられた下側部材に対する接触圧のために、シーリング３２はわずかに圧縮され、開口部４を湿気および泥や土の侵入から確実に封止する。このシーリング３２は、例えば、図５ａに示すように、周囲のシーリング・リップとして、または図５ｂの実施の形態のシーリング・リングとして設けても差し支えない。あるいは、シーリングは、シューズのアッパー１の下側部材３（図示せず）に配置しても、シャーシ１０の突起１１（図示せず）の周りに配置しても差し支えない。
【００３７】
突起１１へのフォーム・フィット以外に、図５ａの実施の形態のスタッドは、ネジ３１によりシャーシ１０にしっかりと固定される。ここで、スタッド中に入り込んだネジ３１の頭部を配置する、またはスタッド本体３３を下方に超えることにより追加の形状要素としてネジを使用することも可能である。ネジ３１および特にその頭部は、モジュール式のサッカーシューズを損なったりその分解を不可能にし得る損傷を避けるために、金属または高安定性プラスチック材料などの安定材料から製造されることが好ましい。
【００３８】
これとは反対に、ネジまたはシャーシから延在する類似の取付手段が係合するネジ山のみをスタッド内に配置することも可能である。スタッド３０と基本的に異なる取付手段の可能性（クリップ固定または磁気固定）は既に上述した。
【００３９】
図５ｂの実施の形態において、スタッドは側部にノッチを備えており、このノッチには、取付けまたは取外しのために適切な工具が係合することができる。早期に磨耗するのを回避するために、この実施の形態の最外領域３４は金属、好ましくは、アルミニウムにより製造する。セラミックや適切なプラスチックなどの他の材料も考えられる。
【００４０】
本発明によるサッカーシューズの上述したモジュール設計により、プレーヤー自身が自分のシューズを組み合わせられるように互いに独立した個々のモジュール（アッパー、シャーシ、スタッド）を提供できる。顧客は、例えば、インターネットのホームページ上で個別の構成部材をインタラクティブに選択することができ、選択されたモジュールの組合せまたは一つのモジュールをその後注文することができる。しかしながら、本発明のスタッド付きシューズの構成部材は小売店により販売することもできる。小売店では、追加に構成部材、特に、シャーシおよびアッパーのカスタム製造のためのオプションが提供されるであろう。さらに、小売店は、上述したシューズの使用済み構成部材を収集することもできるであろう。モジュール設計のために、使用済みシューズは、各構成部材に容易に分離することができる。これらの部材は、実質的に一種類の材料（例えば、アッパーは皮革から製造され、シャーシは複合材料から製造され、スタッドは金属から製造される）のみから製造されている。したがって、本発明のスタッド付きシューズは、リサイクルも促進する。
【図面の簡単な説明】
【００４１】
【図１】本発明の第一の実施の形態におけるモジュール式のスタッド付きシューズの構成部材を示す全体図
【図２】好ましい実施の形態によるシャーシを示す詳細図
【図３】さらに別の実施の形態におけるシャーシの取付突起を示す詳細図
【図４】シューズのアッパーの好ましい実施の形態を示す詳細図
【図５】本発明によるスタッドの好ましい実施の形態を示す斜視図
【符号の説明】
【００４２】
１    軟質アッパー
２    上側部材
３    下側部材
４    開口部
１０    シャーシ
２０    インソール
３０    スタッド
３１    ネジ
【図１】
2005253978.tif 000003
【図２】
2005253978.tif 000004
【図３】
2005253978.tif 000005
【図４】
2005253978.tif 000006
【図５】
2005253978.tif 000007